(57)【特許請求の範囲】
【請求項１】
容器（２）の内容物取出部（３）を覆って装着されるカバー本体（５）と、容器（２）の内容物取出部（３）を押圧操作可能な状態で上記カバー本体（５）と組み合わされる押しボタン部（６）と、上記カバー本体（５）内に装填されたロック部材（７）とを有しており、
上記カバー本体（５）には上記押しボタン部（６）まわりを囲んで一部的又は全周的に開口することで該押しボタン部（６）の下端部へ向けたボタン枠（１３）が設けられており、
上記ロック部材（７）は上記ボタン枠（１３）の開口縁部を介して外部へ露出する操作部（２０）を有しており、該操作部（２０）が押しボタン部（６）の下端部とボタン枠（１３）の上部とに同時に係合可能となるボタン下降阻止位置と押しボタン部（６）の下端部から外れるボタン下降許容位置との回動領域内を移動可能になっており、
前記押しボタン部（６）は、その下端部が、容器（２）の内容物取出部（３）として設けられた上下動可能なステムの上端部に嵌合された構造にあって、
前記ロック部材（７）と押しボタン部（６）との間には、ロック部材（７）の操作部（２０）をボタン下降許容位置からボタン下降阻止位置へ向けて移動するほど当該ロック部材（７）によって押しボタン部（６）をステム上方へ押し上げるカム機構（３１）が組み込まれていることを特徴とする誤動作防止機能付き容器用カバー。
【発明の詳細な説明】
【０００１】
【発明の属する技術分野】
本発明は、誤動作防止機能付き容器用カバーに関するものである。
【０００２】
【従来の技術】
化粧品用ボトル等の容器において、その内容物取出部に対して装着されるカバーには、内容物の取出方法としてムース方式、エアゾール（スプレー）方式、ポンプ方式等の種々のものがあり、これらのカバーは、内容物の取出操作をするための押しボタン部を具備した構成となっている。
【０００３】
例えばムース方式の場合、容器自体の内容物取出部は、上下動可能なステム（弁付きノズル）となっており、上記カバーは、このステムを囲む中央孔を有した中空の円錐台形等をしたカバー本体に対し、その中央孔内に開口縁部の一部に連結した状態で押しボタン部が設けられ、この押しボタン部には縦管状のノズル部が一体的に併設されたものとなっており、このノズル部の下端がステム上に嵌合されるかたちとなっている。
【０００４】
エアゾール方式では、カバー本体と押しボタン部とが別部材となっており、押しボタン部自体が容器のステムに冠着された噴霧ノズルを兼備する構造となっている。
また、ポンプ方式では、容器の内容物取出部は単なる口となっていて、押しボタン部が上下動操作型のポンプを構成し、カバー本体はこの押しボタン部（上下動操作型のポンプ）を容器の口に取り付けるためのネジキャップとして形成される。
【０００５】
なお、これら各種の容器では、カバー本体の上部を押しボタン部ごと覆蓋可能としたオーバーキャップが着脱自在に設けられているものもある。このようなオーバーキャップは、殊に携帯用とする小型の容器の場合に多用される。
【０００６】
【発明が解決しようとする課題】
上記したようなムース方式、エアゾール方式、ポンプ方式等のカバーを具備した容器では、これをバッグや紙袋等へ入れて持ち運んだ場合などに、誤って押しボタン部が押されてしまい、バッグや紙袋等の中身を汚してしまうということがあった。
【０００７】
オーバーキャップが設けられたものでは、ある程度は、このような不具合を抑えることはできるものの、根本的な解決には至らず、例えばオーバーキャップが意図せずに外れてしまったり、或いはオーバーキャップをし忘れた場合には、当然に、何の解決にもならないものであった。
本発明は、上記事情に鑑みてなされたものであって、押しボタン部が誤って押されてしまうといったことを防止できる誤動作防止機能付き容器用カバーを提供することを目的とする。
【０００８】
【課題を解決するための手段】
前記目的を達成するために、本発明は次の手段を講じた。
即ち、本発明に係る誤動作防止機能付き容器用カバーは、容器の内容物取出部を覆って装着されるカバー本体と、容器の内容物取出部を押圧操作可能な状態で上記カバー本体と組み合わされる押しボタン部と、上記カバー本体内に装填されたロック部材とを有しており、
上記カバー本体には上記押しボタン部まわりを囲んで一部的又は全周的に開口することで該押しボタン部の下端部へ向けたボタン枠が設けられており、
上記ロック部材は上記ボタン枠の開口縁部を介して外部へ露出する操作部を有しており、該操作部が押しボタン部の下端部とボタン枠の上部とに同時に係合可能となるボタン下降阻止位置と押しボタン部の下端部から外れるボタン下降許容位置との回動領域内を移動可能になっており、
前記押しボタン部は、その下端部が、容器の内容物取出部として設けられた上下動可能なステムの上端部に嵌合された構造にあって、
前記ロック部材と押しボタン部との間には、ロック部材の操作部をボタン下降許容位置からボタン下降阻止位置へ向けて移動するほど当該ロック部材によって押しボタン部をステム上方へ押し上げるカム機構が組み込まれている。
【０００９】
押しボタン部は、ムース方式、エアゾール方式、ポンプ方式等のいずれに対応したものでも構わない。
そして、上記したロック部材における操作部の移動停止位置を変えることにより、押しボタン部において、それを下降可能状態としたり、或いは下降不可能状態としたりできるようになっている。
【００１０】
このような構成とすることで、仮にオーバーキャップが装着されていない状態であったとしても、押しボタン部が誤って押されてしまうといったことを防止できる。
なお、オーバーキャップの有無は、本発明において特に問題とされるのものではない。
【００１１】
ロック部材において、押しボタン部を下降不可能状態にするときの操作部の移動停止位置は、押しボタン部に指をかけるときの正面向かって手前位置とするのが好適である。
このようにすることで、押しボタン部が下降可能状態にあるのか下降不可能状態にあるのかが、視覚と触覚との双方を通しても使用者に判断できるものとなる。
【００１２】
殊に、ロック部材の操作部を押しボタン部と同等以上の突出高さに形成しておけば、押しボタン部が下降不可能状態にあるときに、これを誤って押し操作しようとしても操作部が邪魔となって実質的に操作できないことになり、使用者に対して押しボタン部の下降不可能状態（ロック状態）を強く認識させることができるものである。
【００１３】
ロック部材における操作部の移動は、押しボタン部を中心とした回動とすればよい。
このようにするのが、構造的に簡潔且つコンパクトにでき、また操作性も良好である。
本発明に係る誤動作防止機能付き容器用カバーにおいて、その、より具体的な構成としては、容器の内容物取出部を覆って装着されるカバー本体と、容器の内容物取出部を押圧操作可能な状態で上記カバー本体と組み合わされる押しボタン部と、上記カバー本体内に装填されたロック部材とを有したものとし、そのうえで、上記カバー本体には、上記押しボタン部まわりを囲んで一部的又は全周的に開口することでこの押しボタン部の下端部へ向けたボタン枠が設けられたものとする。
【００１４】
また、上記ロック部材は、上記ボタン枠の開口縁部を介して外部へ露出する操作部を有しており、この操作部が、押しボタン部の下端部とボタン枠の上部とに同時に係合可能となるボタン下降阻止位置と、押しボタン部の下端部から外れるボタン下降許容位置との回動領域内を移動可能になったものとする。
なお、ムース方式で見られるように、押しボタン部は、その下端外周部の一部がカバー本体に対して上下揺動自在に連結されていると共に、その下端部が、容器の内容物取出部として設けられた上下動可能なステムの上端部に嵌合された構造にすることができる。
【００１５】
この場合、前記ロック部材と押しボタン部との間には、ロック部材の操作部をボタン下降許容位置からボタン下降阻止位置へ向けて移動するほど、このロック部材によって押しボタン部をステム上方へ押し上げるようにするカム機構を組み込んでおくとよい。
このようにすることで、ロック部材の操作部がボタン下降阻止位置にあるときに、押しボタン部は容器のステムから浮き上がった状態とされることになる。
【００１６】
すなわち、この状態では、例えば押しボタン部が強い力で押し込まれる等して、万が一、押しボタン部が微妙に下降したときでも、ステムが押されることには繋がらないのである。
カバー本体には、上記したようにオーバーキャップを着脱自在な状態として、覆蓋させることができるが、この場合、ロック部材の操作部がボタン下降許容位置で停止しているときに、オーバーキャップが当該ロック部材の操作部と接触干渉してカバー本体に対する装着が不可能となり、一方で、ロック部材の操作部がボタン下降阻止位置で停止しているときだけオーバーキャップをカバー本体に対して装着可能な構造とするのが好適である。
【００１７】
このようにしておけば、ロック部材の操作部がボタン下降許容位置で停止しているとき（即ち、ロックが外れているとき）には、オーバーキャップの装着ができないので、使用者は、否が応でもロックが外れていることを認識することができ、使用上の失敗がない。
カバー本体には、ロック部材の操作部がボタン下降許容位置とボタン下降阻止位置との間を移動するときに、当該ロック部材と適度に接触可能となるクリック感発生子を設けておくのが好適である。
【００１８】
このようにすることで、ロック部材の操作を確実な手応えとして認識することができ、操作し忘れの防止等に繋がる。
【００１９】
【発明の実施の形態】
以下、本発明の実施の形態を、図面に基づき説明する。
図１乃至図５は、本発明に係る誤動作防止機能付き容器用カバー１の第１実施形態を示している。
このカバー１は、容器２の内容物取出部３を覆うようにして装着されるカバー本体５と、容器２の内容物取出部３を押圧操作可能な状態で上記カバー本体５と組み合わされる押しボタン部６と、上記カバー本体５内に装填されたロック部材７とを有している。
【００２０】
図１はこのカバー１を分解した状態としてあり、図２乃至図４は押しボタン部６を下降不可能状態（即ち、ロック状態）にしたものであり、図５は押しボタン部６を下降可能状態（即ち、アンロック状態）にしたものである。
なお、本第１実施形態において容器２は縦型円柱形を呈し、その上端部の内容物取出部３が上下動可能なステム（弁付きノズル）として設けられたものであって、カバー１はムース方式としている。
【００２１】
このようなことから、このカバー１のカバー本体５は、容器２の内容物取出部３を囲む円形の中央孔１０を有した中空円錐台形に形成されており、これに対して押しボタン部６は、その下端外周部の一部が、カバー本体５の中央孔１０内における開口縁部の一部に、舌片状のバネ片１１を介して上下揺動自在な状態で連結されたものとしている。
【００２２】
従って、この中央孔１０の開口周部と押しボタン部６の下端部との周間には、上記バネ片１１を除いて円弧状のスリット１２が形成されていることになる。
すなわち、押しボタン部６のまわりは中央孔１０の開口縁部によって略全周的に囲まれている状態であり、この開口縁部が押しボタン部６の下端部へ向けたボタン枠１３を形成していることになる。
【００２３】
また、この押しボタン部６には、カバー本体５の中心から、上記バネ片１１側へ若干偏心した位置付けで縦管状のノズル部１４が一体的に立設されており、このノズル部１４の下端部には、容器２の内容物取出部３上に嵌合される連結管部１５が下方突出状に設けられている。
従って、押しボタン部６を押すと、バネ片１１が撓みながら容器２の内容物取出部３が下方へと押され、容器２の内容物（ムース等）が連結管部１５及びノズル部１４を介して吐出されることになる。
【００２４】
また、押しボタン部６に対する押し操作を中断すれば、容器２の内容物取出部３に押し上げられるようにして押しボタン部６が操作前の状態に戻るので、内容物の吐出も停止するものである。
このようなカバー１にあって、上記ロック部材７は中央孔１６を有したドーナツ板状をしており、その中央孔１６が、押しボタン部６の連結管部１５に回動自在に嵌められるようになっている。
【００２５】
連結管部１５には、ロック部材７の抜け止めとするために部分的に径大となったストッパ環１７（図４参照）が設けられている。
また、このロック部材７には、外周部の一部に沿って起立した操作部２０が設けられていると共に、この操作部２０の下端部に対応する外周部を下向きの段部状に凹ませることで、係止縁２１が設けられている。
【００２６】
操作部２０は、カバー本体５の中央孔１０と押しボタン部６の下端部との周間に形成された円弧状のスリット１２を通り抜けて、カバー本体５の上方へ露出し得る寸法関係で形成されているが、このとき、操作部２０の外面側がボタン枠１３（スリット１２における径方向外側の内縁）に適度に当接付勢されるようになっている。
【００２７】
このような当接付勢作用によって、ロック部材７の回動はやや重みのあるものとなり、またロック部材７のガタツキ防止や、意図しない場合の回動防止が図れるものとなっている。
そして、操作部２０は、このスリット１２に沿って円滑に円弧移動できるように、ややカーブが付けられた形状になっている。
【００２８】
この操作部２０には、外側面等に、指の滑り止めとするためのギザギザを設けておいてもよい。
また、この操作部２０は、その上端部が押しボタン部６の上面と略同じ高さとなるような突出高さで設けられている。
一方、係止縁２１は、操作部２０がカバー本体５におけるボタン枠１３の上縁部に引っかかるようにするために形成されたもので、これによって操作部２０等に下向きの押圧力が加えられたときも、当該操作部２０を含め、ロック部材７自体が下方へ落ち込まず、且つ撓まないようにしている。
【００２９】
すなわち、このロック部材７は、その上面で押しボタン部６の下端部を支持すると同時に、係止縁２１によってボタン枠１３の上縁部に係合可能になっている。
上記押しボタン部６を押し操作する場合には、バネ片１１とは真反対側から押しボタン部６へ向けて指をかけることになるが、上記ボタン枠１３には、このときの押しボタン部６の正面（図２及び図５の各右側）に向かって、その右斜め位置に、ロック部材７の操作部２０を径方向外方へ逃がすための切欠部２５が設けられている。
【００３０】
すなわち、上記したように、ロック部材７において、操作部２０はその外面側がボタン枠１３に適度に当接付勢されるようになっているので、図５に示すように、この操作部２０が切欠部２５に対応する位置までロック部材７が回動された場合、この操作部２０は自らの上記付勢作用によって切欠部２５内に嵌るようになり、これと共に係止縁２１によるボタン枠１３上縁への引っかかりも解除されることとなる。
【００３１】
従って、この操作部２０が切欠部２５内に嵌った状態（図５の状態）で押しボタン部６を押し操作すると、操作部２０は切欠部２５内で下降することになり、これに伴ってロック部材７が撓んで押しボタン部６も下降することになる。
これによって容器２の内容物取出部３が押し下げられ、内容物が吐出されることになる。
【００３２】
しかし、操作部２０を切欠部２５から元の位置（押しボタン部６に指をかけるときの正面向かって手前位置）へ戻すように移動させると（図２の状態）、係止縁２１がカバー本体５のボタン枠１３上縁に引っかり、操作部２０を含め、ロック部材７自体が下方へ落ち込まず、且つ撓まないようになる。
これによって押しボタン部６はその下降が阻まれることになり、もって容器２の内容物取出部３を下降させることもできないため、内容物を吐出させることもできないものである。
【００３３】
従って、仮にオーバーキャップを装着しないまま、このカバー１付き容器２をバッグや紙袋等へ入れて持ち運んだような場合でも、押しボタン部６が誤って押されてしまうといったことを防止できる。
なお、押しボタン部６を下降不可能状態にしているとき、操作部２０が押しボタン部６の正面向かって手前位置に位置付けられているので、押しボタン部６が下降不可能状態にあることが視覚と触覚との双方を通して判断できることとなり、また操作部２０が邪魔となって実質的に押しボタン部６を操作できないことになる。
【００３４】
以上のことを整理して説明すれば、ロック部材７の操作部２０は、図２に示す位置付けにあるときがボタン下降阻止位置であり、押しボタン部６は下降不可能状態（即ち、ロック状態）になっており、これに対して図５に示す位置付けにあるときがボタン下降許容位置であって、押しボタン部６は下降可能状態（即ち、アンロック状態）になっており、これらボタン下降阻止位置とボタン下降許容位置との間を移動自在となっている。
【００３５】
ところで、カバー本体５、押しボタン部６、ノズル１４を一体形成したものや、ロック部材７は、それぞれ適宜合成樹脂材により形成すればよい。その他の材料（例えば金属材）で形成することもできるが、カバー本体５ではバネ片１１がある程度の可撓性を必要とし、またロック部材７についてもある程度の可撓性を必要とするので、これらの特性を満たす材質を選ぶことが必要となる。
【００３６】
また、カバー本体５の内部には内周壁２６が垂下状に設けられており、この内周壁２６の下端部に設けられた内爪で容器２に設けられた係合輪２７に嵌合させたものを示してしるが、これらの構造は何ら限定されるものではない。
勿論、容器２をはじめ、カバー本体５、押しボタン部６、ノズル１４の一体形成体や、ロック部材７等の細部の形状は、特に限定されるものではなく、例えば平面楕円形や長円形、多角形等とすることも可能である。
【００３７】
図６乃至図８は、本発明に係る誤動作防止機能付き容器用カバー１の第２実施形態を示している。
この第２実施形態の誤動作防止機能付き容器用カバー１が、上記した第１実施形態と異なるところは、ロック部材７において、操作部２０の下端側に設けられた係止縁２１が傾斜面３０を含んだものとなっている点にある。
【００３８】
すなわち、このような傾斜面３０が設けられていると、ロック部材７の操作部２０をボタン下降許容位置からボタン下降阻止位置へ向けて移動させたとき、カバー本体５のボタン枠１３上縁に対する係止縁２１の当接度合いは徐々に強くなり、この反作用として、このロック部材７は徐々に上方へ反り上がるようになる。
【００３９】
そのため、このロック部材７の上方への反り上がりと共に押しボタン部６が上方へ押し上げられることとなり、連結管部１５が容器２の内容物取出部３（ステム）から若干浮き上がるようになるのである。
このようになれば、例えば押しボタン部６が強い力で押し込まれる等して、万が一、押しボタン部６が微妙に下降したときでも、容器２の内容物取出部３（ステム）が押されることには繋がらない。即ち、内容物の吐出しない状況が保証されることになる。
【００４０】
これらの構成によって、ロック部材７と押しボタン部６との間にカム機構３１が組み込まれたものになっている。
その他の構成乃至細部構造や、使用方法  及び各種作用効果等は第１実施形態と略同じであるので、ここでの詳説は省略する。
図９乃至図１２は、本発明に係る誤動作防止機能付き容器用カバー１の第３実施形態を示している。
【００４１】
この第３実施形態の誤動作防止機能付き容器用カバー１も、上記した第２実施形態（図６乃至図８）と同様に、ロック部材７において、操作部２０の下端側に設けられた係止縁２１が傾斜面３０を含んだものとなっており、このことによってロック部材７と押しボタン部６との間にカム機構３１が組み込まれたものになっている。
【００４２】
但し、この第３実施形態が第２実施形態と異なるところは、ロック部材７がリング形に形成されている点と、傾斜面３０を含んだ係止縁２１がこのリング形の内周面側で、且つ上向きの段部状に形成されている点にある。
このような相違点により、作用として、係止縁２１はカバー本体５のボタン枠１３に係合するのではなく、押しボタン部６の下端部と係合するものとなっており、これに伴って、リング形の外周側には、カバー本体５のボタン枠１３に係合するための係合溝３３が、新たに設けられたものとなっている。
【００４３】
カム機構３１の作用としては第２実施形態の場合と略同じであるので、ここでの詳説は省略する。
なお、本第３実施形態の場合、ロック部材７は、カバー本体５の天面下面５ａと容器２の係合輪２７との上下間で挟持され、その回動が安定して行われるようになっている。
【００４４】
図１３乃至図１５は、本発明に係る誤動作防止機能付き容器用カバー１の第４実施形態を示している。
この第４実施形態の誤動作防止機能付き容器用カバー１は、カバー本体５がオーバーキャップ４０によって覆蓋されるものを対象としたものである。
なお、図例では、カバー本体５の裾側の外周面５ｂに対してオーバーキャップ４０を摩擦係合させる構造のものを示しているが、これに限らず、係合片による係合構造やネジ式着脱構造にすることも可能であるし、更にカバー本体５ではなくて、オーバーキャップ４０が容器２に対する各種の着脱構造を有したものとすることもできる。
【００４５】
ロック部材７はアーム型をしており、その基端部がカバー本体５の天面下面５ａに揺動軸４２を介して揺動自在に保持されている。
このようにロック部材７が揺動するものであったとしても、このロック部材７に設けられた操作部２０がカバー本体５の中央孔１０と押しボタン部６の下端部との周間に形成された円弧状のスリット１２を通り抜けて、カバー本体５の上方へと露出し、このスリット１２に沿って円滑に円弧移動できるようになっている点では、上記した各実施形態と同じである。
【００４６】
ただ、この操作部２０には、カバー本体５の径方向外方へ突出するかたちで張出片４３が設けられている。
この張出片４３は、操作部２０がボタン下降許容位置で停止しているとき（図１３中に二点鎖線で示す）には、オーバーキャップ４０と接触干渉するようになっており、従って、カバー本体５に対するオーバーキャップ４０の装着を不可能とさせるものであり、これに対し、ロック部材７がボタン下降阻止位置で停止しているとき（図１３中に実線で示す）には、オーバーキャップ４０とは非干渉となって、カバー本体５に対するオーバーキャップ４０の装着が可能となるものである。
【００４７】
このような構成であると、ロック部材７の操作部２０がボタン下降許容位置で停止しているとき（即ち、アンロック時）には、予め、操作部２０をボタン下降不可能位置へ移動させない限り（即ち、ロックしない限り）、オーバーキャップ４０を装着できないことになる。
従って、これを操作すれば、オーバーキャップ４０を装着できていれば、これをバッグや紙袋等へ入れて持ち運んだ場合に、仮にオーバーキャップ４０が外れてしまうようなことがあったとしても、決して、押しボタン部６が誤って押されてしまうということには繋がらないということである。即ち、使用上の失敗がないのである。
【００４８】
図１６及び図１７は、本発明に係る誤動作防止機能付き容器用カバー１の第５実施形態を示している。
この第５実施形態の誤動作防止機能付き容器用カバー１は、上記した第１実施形態の誤動作防止機能付き容器用カバー１（図１乃至図５参照）と殆ど同じものである。
【００４９】
ただ、唯一、ロック部材７には、中央孔１６を中心とする円弧状のスリット４８が設けられており、これに対してカバー本体５には、その天面下面５ａから上記スリット４８に嵌る突起４９が下向きに突設されている点が異なっている。
ロック部材７において、スリット４８は操作部２０と対称配置となっている。
また、カバー本体５において、突起４９は、上記スリット４８の円弧長に対して半分以下の長さを有して形成されていると共に、ロック７部材７の操作部２０がボタン下降許容位置で停止しているときか、又はボタン下降不可能位置で停止しているときに、上記スリット４８の一端部に偏った位置付け（ロック部材７の回動を邪魔しない方の端部）となるように、設けられている。
【００５０】
そして、ロック部材７のスリット４８には、操作部２０がボタン下降許容位置及びボタン下降不可能位置で停止したときに、丁度、突起４９の出入りを区切ることができるような位置付けで、そのスリット幅を狭めるようなクリック感発生子５０が設けられている。
従って、ロック部材７の操作部２０を、ボタン下降許容位置とボタン下降阻止位置との間で移動させると、突起４９がクリック感発生子５０を通過するたびに、心地よいクリック感が得られることとなる。
【００５１】
従って、ロック部材７の操作部２０を操作し忘れるといったことの防止等に繋がる。
ところで、本発明は、上記した各実施形態に限定されるものではなく、実施の態様に応じて適宜変更が可能である。
本発明は、ムース方式のみに限定されるものではなく、エアゾール（スプレー）方式やポンプ方式等でも採用可能である。
【００５２】
また、前記実施の形態では、外部へ露出する操作部２０を１個のみ設けているが、これに代え、操作部２０を複数個設けるようにしてもよい。また、前記実施の形態では、ロック部材７の操作部２０を逃がすための切欠部２０を１個のみ設けているが、これに代え、操作部２０を逃がすための切欠部２０を複数個設けるようにしてもよい。
【００５３】
【発明の効果】
以上の説明から明らかなように、本発明に係る誤動作防止機能付き容器用カバーでは、たとえバッグや紙袋等へ入れて持ち運んだ場合などであっても、押しボタン部が誤って押されてしまうといったことを防止できる。
【図面の簡単な説明】
【図１】  本発明に係る誤動作防止機能付き容器用カバーの第１実施形態を示した分解斜視図である。
【図２】  図１に対応する平面図（ロック状態）である。
【図３】  図２に対応する正面断面図である。
【図４】  図３中の一部を拡大して示した図である。
【図５】  図２の状態から操作部を操作した状態（アンロック状態）を示した平面図である。
【図６】  本発明に係る誤動作防止機能付き容器用カバーの第２実施形態を示した正面断面図である。
【図７】  第２実施形態のカバーで用いられるロック部材を示した斜視図である。
【図８】  図６のＡ−Ａ線に相当する側断面図である。
【図９】  本発明に係る誤動作防止機能付き容器用カバーの第３実施形態を示した平面図である。
【図１０】  図９に対応する正面断面図である。
【図１１】  図１０のＢ−Ｂ線に相当する側断面図である。。
【図１２】  第３実施形態のカバーで用いられるロック部材を示した斜視図である。
【図１３】  本発明に係る誤動作防止機能付き容器用カバーの第４実施形態を示した平面図である。
【図１４】  図１３に対応する正面断面図（オーバーキャップを書き加えたもの）である。
【図１５】  図１３に対応する底面図である。
【図１６】  本発明に係る誤動作防止機能付き容器用カバーの第５実施形態を示した正面断面図である。
【図１７】  図１６に対応する底面図である。
【符号の説明】
１    カバー
２    容器
３    内容物取出部
５    カバー本体
６    押しボタン部
７    ロック部材
１３    ボタン枠
２０    操作部
３１    カム機構
４０    オーバーキャップ
５０    クリック感発生子
【図１】
0004733259.tif 000002
【図２】
0004733259.tif 000003
【図３】
0004733259.tif 000004
【図４】
0004733259.tif 000005
【図５】
0004733259.tif 000006
【図６】
0004733259.tif 000007
【図７】
0004733259.tif 000008
【図８】
0004733259.tif 000009
【図９】
0004733259.tif 000010
【図１０】
0004733259.tif 000011
【図１１】
0004733259.tif 000012
【図１２】
0004733259.tif 000013
【図１３】
0004733259.tif 000014
【図１４】
0004733259.tif 000015
【図１５】
0004733259.tif 000016
【図１６】
0004733259.tif 000017
【図１７】
0004733259.tif 000018